(57)【要約】      （修正有）【課題】一次電源および２次電源の間の強化絶縁構造を最小限の体積で具現できる、トランスおよびその設計方法を提供する。【解決手段】強化絶縁トランスは、１次巻線３１０上に２次巻線３２０が巻き取られることによって、１次巻線３１０および２次巻線３２０が積層構造をなすものの強化絶縁（ｒｅｉｎｆｏｒｃｅｄ  ｉｎｓｕｌａｔｉｏｎ）基準を満足するトランスであって、１次巻線３１０および２次巻線３２０は導線３１０ａ、３２０ａおよびその導線を包み込む絶縁表皮層３１０ｂ、３２０ｂを含むものの、２次巻線３２０の絶縁表皮層３２０ｂが１次巻線３１０の絶縁表皮層３１０ｂよりもその数が多いかその厚さが厚いことを特徴とする。【選択図】図７
2020145402.tif 000002
【特許請求の範囲】
【請求項１】
１次巻線上に２次巻線が巻き取られることによって、前記１次巻線および前記２次巻線が積層構造をなすものの強化絶縁（ｒｅｉｎｆｏｒｃｅｄ  ｉｎｓｕｌａｔｉｏｎ）基準を満足するトランスであって、
前記１次巻線および前記２次巻線は導線およびその導線を包み込む絶縁表皮層を含むものの、２次巻線の絶縁表皮層が１次巻線の絶縁表皮層よりもその数が多いかその厚さが厚いことを特徴とする、強化絶縁トランス。
【請求項２】
前記２次巻線はその絶縁表皮層が複数の層で形成されて基本絶縁（ｂａｓｉｃ  ｉｎｓｕｌａｔｉｏｎ）基準の耐電圧を満足することを特徴とする、請求項１に記載の強化絶縁トランス。
【請求項３】
前記２次巻線の絶縁表皮層は３重層であることを特徴とする、請求項２に記載の強化絶縁トランス。
【請求項４】
前記１次巻線および前記２次巻線は、
ピンに隣接した各引き出し部がそれぞれ絶縁チューブで包み込まれたことを特徴とする、請求項１〜請求項３のいずれか一項に記載の強化絶縁トランス。
【請求項５】
前記絶縁チューブはテフロン（Ｔｅｆｌｏｎ）チューブであることを特徴とする、請求項４に記載の強化絶縁トランス。
【請求項６】
前記１次巻線および前記２次巻線のバリアー合計距離は強化絶縁基準の離隔距離よりも短いことを特徴とする、請求項１〜請求項５のいずれか一項に記載の強化絶縁トランス。
【請求項７】
前記１次巻線および前記２次巻線のバリアー合計距離は基本絶縁（ｂａｓｉｃ  ｉｎｓｕｌａｔｉｏｎ）基準を満足する離隔距離の範囲に含まれることを特徴とする、請求項６に記載の強化絶縁トランス。
【請求項８】
インバータ用電源供給装置の構成として含まれることを特徴とする、請求項１〜請求項７のいずれか一項に記載の強化絶縁トランス。
【請求項９】
前記２次巻線の絶縁表皮層は前記１次巻線の絶縁表皮層よりもその数が多いことを特徴とする、請求項２〜請求項８のいずれか一項に記載の強化絶縁トランス。
【請求項１０】
１次巻線および２次巻線が積層構造をなすもののその間が強化絶縁（ｒｅｉｎｆｏｒｃｅｄ  ｉｎｓｕｌａｔｉｏｎ）基準を満足するトランスの設計方法であって、
前記１次巻線を巻き取り形成する段階；および
前記１次巻線上に前記２次巻線を巻き取り形成する段階；を含み、
前記１次巻線および前記２次巻線は導線およびその導線を包み込む絶縁表皮層を含むものの、前記２次巻線の絶縁表皮層が前記１次巻線の絶縁表皮層よりもその数が多いかその厚さが厚いことを特徴とする、強化絶縁トランスの設計方法。
【請求項１１】
ピンに隣接した前記１次巻線および前記２次巻線の各引き出し部を絶縁チューブで包み込む段階をさらに含むことを特徴とする、請求項１０に記載の強化絶縁トランスの設計方法。
【発明の詳細な説明】
【技術分野】
【０００１】
本発明は強化絶縁トランスおよびその設計方法に関し、さらに詳細には最小限の体積で一次電源および２次電源間の強化絶縁構造を具現できる、トランスおよびその設計方法に関する。
【背景技術】
【０００２】
各種電子機器および装置には多様な種類の電源が必要である。これに伴い、各電子機器および装置には、外部から供給される交流電源を該当電子機器および装置で必要とする電源に変換させる電源供給装置が備えられる。
【０００３】
このような電源供給装置の種類としては、線形制御（ｓｅｒｉｅｓ  ｒｅｇｕｌａｔｏｒ）方式とスイッチングモード（ｓｗｉｔｃｈｉｎｇ  ｍｏｄｅ）方式がある。
【０００４】
線形制御方式はトランス（ｔｒａｎｓｆｏｒｍｅｒ）を使って交流電源を変換する方式であって、テレビ受像機やＣＲＴモニターなどに主に使用される。このような線形制御方式は周辺回路が簡単で安価であるが、熱の発生が多く、電源の効率が低く、体積が大きいという短所がある。
【０００５】
スイッチングモード方式はスイッチング素子を利用して交流電源を変換する方式であって、線形制御方式と比べて熱の発生が殆どなく、電力効率が高く、体積が小さい利点を有する。このようなスイッチングモード方式の電源供給装置を通常的にＳＭＰＳ（ｓｗｉｔｃｈｉｎｇ  ｍｏｄｅ  ｐｏｗｅｒ  ｓｕｐｐｌｙ）と指し示す。特に、ＳＭＰＳは効率が高く、耐久性が強く、小型および軽量化に有利であるため、通信用、産業用、ＰＣ用、ＯＡ機器用、家電機器用など、多くの電子機器、装備およびシステムの電源供給装置に使われる。
【０００６】
ＳＭＰＳは基本としてトランス（ｔｒａｎｓｆｏｒｍｅｒ）を具備する。この時、ＳＭＰＳ用トランスは磁性体であるコア（Ｃｏｒｅ）と、絶縁および巻線のためのフレームであるボビン（ｂｏｂｂｉｎ）、ボビンに巻き取られて１次および２次電源を伝達する１次および２次巻線をそれぞれ含む。これにより、ＳＭＰＳは１次および２次巻線で発生する電磁誘導現象を利用して電源を変換させることができる。
【０００７】
一方、インバータは直流を交流に変換する装置であって、ＰＷＭ（Ｐｕｌｓｅ  Ｗｉｄｔｈ  Ｍｏｄｕｌａｔｉｏｎ）信号によりオン／オフ（ｏｎ／ｏｆｆ）されるスイッチング素子を通じて直流電圧をスイッチングさせて交流電圧を生成し、生成した交流電圧を負荷に出力させる。このようなインバータの制御器およびその他周辺機器への電源の供給のためにＳＭＰＳが備えられる。すなわち、インバータで、ＳＭＰＳが生成した低電圧電源は運転、保護、制御などの目的に合うように加工されて使われる。
【０００８】
インバータのＳＭＰＳで、各電源（または各巻線）は互いに電気的に絶縁（以下、「絶縁」という。）される。この時、各電源の間（例えば、一次電源の間、２次電源の間、または一次電源と２次電源の間）は各電源の使用位置によりその絶縁階級が決定される。この時、絶縁階級は安全のための絶縁基準であって、機能絶縁（ｆｕｎｃｔｉｏｎａｌ  ｉｎｓｕｌａｔｉｏｎ）、基本絶縁（ｂａｓｉｃ  ｉｎｓｕｌａｔｉｏｎ）および強化絶縁（ｒｅｉｎｆｏｒｃｅｄ  ｉｎｓｕｌａｔｉｏｎ）の三つに区分され得る。
【０００９】
特に、２次電源がユーザーと直接接触され得る外部に位置する電源（例えば、Ｉ／Ｏ電源など）である場合、必ず強化絶縁が具現されなければならない。しかし、強化絶縁の具現のための従来方法は、単に一次電源と２次電源の間の絶縁距離を増加させることを提案しているだけである。したがって、従来方法を適用する場合、該当絶縁距離の増加によるインバータＳＭＰＳ用トランスの体積が大きくなる問題点が発生する。
【発明の概要】
【発明が解決しようとする課題】
【００１０】
前記したような従来技術の問題点を解決するために、本発明は一次電源および２次電源の間の強化絶縁構造を最小限の体積で具現できる、トランスおよびその設計方法を提供することにその目的がある。
【００１１】
ただし、本発明が解決しようとする課題は以上で言及した課題に制限されず、言及されていないさらに他の課題は下記の記載から当業者に明確に理解できるはずである。
【課題を解決するための手段】
【００１２】
前記のような課題を解決するための本発明の一実施例に係る強化絶縁トランスは、１次巻線上に２次巻線が巻き取られることによって、前記１次巻線および前記２次巻線が積層構造をなすものの強化絶縁（ｒｅｉｎｆｏｒｃｅｄ  ｉｎｓｕｌａｔｉｏｎ）基準を満足するトランスであって、前記１次巻線および前記２次巻線は導線およびその導線を包み込む絶縁表皮層を含むものの、前記２次巻線の絶縁表皮層が前記１次巻線の絶縁表皮層よりもその数が多いかその厚さが厚い。
【００１３】
前記２次巻線はその絶縁表皮層が複数の層で形成されて基本絶縁（ｂａｓｉｃ  ｉｎｓｕｌａｔｉｏｎ）基準の耐電圧を満足することができる。
【００１４】
前記２次巻線の絶縁表皮層は３重層であり得る。
【００１５】
前記１次巻線および前記２次巻線はピンに隣接した各引き出し部がそれぞれ絶縁チューブで包み込まれ得る。
【００１６】
前記絶縁チューブはテフロン（Ｔｅｆｌｏｎ）チューブであり得る。
【００１７】
前記１次巻線および前記２次巻線のバリアー合計距離は強化絶縁基準の離隔距離より短くてもよい。
【００１８】
前記１次巻線および前記２次巻線のバリアー合計距離は基本絶縁（ｂａｓｉｃ  ｉｎｓｕｌａｔｉｏｎ）基準を満足する離隔距離の範囲に含まれ得る。
【００１９】
本発明の一実施例に係る強化絶縁トランスはインバータ用電源供給装置の構成として含まれ得る。
【００２０】
本発明の一実施例に係る強化絶縁トランスの設計方法は、１次巻線および２次巻線が積層構造をなすもののその間が強化絶縁（ｒｅｉｎｆｏｒｃｅｄ  ｉｎｓｕｌａｔｉｏｎ）基準を満足するトランスの設計方法であって、（１）前記１次巻線を巻き取り形成する段階、（２）前記１次巻線上に前記２次巻線を巻き取り形成する段階を含み、前記１次巻線および２次巻線は導線およびその導線を包み込む絶縁表皮層を含むものの、前記２次巻線の絶縁表皮層が前記１次巻線の絶縁表皮層よりもその数が多いかその厚さが厚い。
【００２１】
本発明の一実施例に係る強化絶縁トランスの設計方法は、ピンに隣接した前記１次巻線および前記２次巻線の各引き出し部を絶縁チューブで包み込む段階をさらに含むことができる。
【発明の効果】
【００２２】
前記のように構成される本発明は、一次電源および２次電源の間の強化絶縁構造を最小限の体積で具現できる利点がある。
【００２３】
特に、本発明は二重の基本絶縁基準の満足を通じての強化絶縁を具現することによって、従来強化絶縁の具現時に増加していた一次電源と２次電源の間の絶縁距離を減少させることができるため、バリアーの大きさを減らすことができ、その結果、１次巻線および２次巻線の巻き取り部位、すなわち巻線窓面積を増やすことができる利点がある。
【００２４】
ただし、本発明が解決しようとする効果は以上で言及した効果に制限されず、言及されていないさらに他の効果は下記の記載から当業者に明確に理解できるはずである。
【図面の簡単な説明】
【００２５】
【図１】一般的なＳＭＰＳのブロック構成図を示す図面。
【図２】本発明の一実施例に係る強化絶縁トランスの正面写真。
【図３】図２で絶縁層を除去した場合の写真。
【図４】本発明の一実施例に係る強化絶縁トランスの正面写真および斜視面の写真。
【図５】図４を参照して図示された本発明の一実施例に係る強化絶縁トランスの構成を示した図面。
【図６】コア（ｃｏｒｅ）１００、１次巻線３１０、２次巻線３２０および絶縁層４００の一例を示した図面。
【図７】図５の断面の一部を示した図面。
【図８】従来のトランスにおいて引き出し部３１１、３２１がピン５００に連結された様子を示した図面。
【図９】本発明の一実施例に係る強化絶縁トランスにおいて引き出し部３１１、３２１がピン５００に連結された様子を示した図面。
【図１０】本発明の一実施例に係る強化絶縁トランスの設計方法のフローチャート。
【発明を実施するための形態】
【００２６】
本発明の前記目的と手段およびそれによる効果は、添付された図面と関連した以下の詳細な説明を通じてより明確となるはずであり、それに伴い、本発明が属する技術分野で通常の知識を有する者が本発明の技術的思想を容易に実施できるはずである。また、本発明の説明において本発明と関連した公知技術に対する具体的な説明が本発明の要旨を不要に曖昧にさせる恐れがあると判断される場合にはその詳細な説明を省略する。
【００２７】
本明細書で使われた用語は実施例を説明するためのものであって、本発明を制限しようとするものではない。本明細書で、単数型は特に言及しない限り、複数型も含む。本明細書で、「含む」、「具備する」、「設ける」または「有する」等の用語は、言及された構成要素以外の一つ以上の他の構成要素の存在または追加を排除しない。
【００２８】
本明細書で、「または」、「少なくとも一つ」等の用語は、共に羅列された単語のうち一つを示すか、または２以上の組み合わせを示し得る。例えば、「またはＢ」「およびＢのうち少なくとも一つ」は、ＡまたはＢのうち一つのみを含むことができ、ＡとＢをすべて含むこともできる。
【００２９】
本明細書で、「例えば」等による説明は引用された特性、変数、または値とともに提示した情報が正確に一致しないこともあり、許容誤差、測定誤差、測定正確度の限界と通常的に知られているその他の要因をはじめとする変形のような効果で本発明の多様な実施例に係る発明の実施形態を限定してはならない。
【００３０】
本明細書で、ある構成要素が他の構成要素に「連結されて」いるとか「接続されて」いると記載された場合、その他の構成要素に直接的に連結されていてもよくまたは接続されていてもよいが、中間に他の構成要素が存在してもよいと理解されるべきである。反面、ある構成要素が他の構成要素に「直接連結されて」いるとか「直接接続されて」いると言及された時には、中間に他の構成要素が存在しないものと理解されるべきである。
【００３１】
本明細書で、ある構成要素が他の構成要素の「上に」あるとか「接して」いると記載された場合、他の構成要素の上に直接触れ合っているかまたは連結されていてもよいが、中間にさらに他の構成要素が存在してもよいと理解されるべきである。反面、ある構成要素が他の構成要素の「真上に」あるとか「直接接して」いると記載された場合には、中間にさらに他の構成要素が存在しないものと理解され得る。構成要素間の関係を説明する他の表現、例えば、「〜間に」と「直接〜間に」等も同様に解釈され得る。
【００３２】
本明細書で、「第１」、「第２」等の用語は多様な構成要素の説明に使われ得るが、該当構成要素は前記用語によって限定されてはならない。また、前記用語は各構成要素の順序を限定するためのものと解釈されてはならず、一つの構成要素と他の構成要素を区別する目的で使われ得る。例えば、「第１構成要素」は「第２構成要素」と命名され得、同様に「第２構成要素」も「第１構成要素」と命名され得る。
【００３３】
特に定義されない限り、本明細書で使われるすべての用語は本発明が属する技術分野で通常の知識を有する者に共通して理解され得る意味で使われ得る。また、一般的に使われる辞書に定義されている用語は明白に特に定義されていない限り、理想的または過度に解釈されない。
【００３４】
以下、添付された図面を参照して本発明に係る望ましい一実施例を詳細に説明する。
【００３５】
図１は、一般的なＳＭＰＳのブロック構成図である。
【００３６】
ＳＭＰＳはスイッチング素子を利用して交流電源を変換する装置であって、図１に図示された通り、ノイズフィルター１０、入力整流平滑回路２０、コンバータ３０、制御回路４０および出力整流平滑回路５０を含むことができる。ただし、図１はＳＭＰＳ構成についての一例示であって、インバータ用ＳＭＰＳを限定するものではない。
【００３７】
ノイズフィルター１０は入力段を通じて入力される交流電源Ｐ１のノイズを除去する構成である。すなわち、ノイズフィルター１０は入力段のノイズが内部の回路素子を損傷させることを防止することができ、電流が不安定となる現象を最小化することができる。ただし、ノイズフィルター１０はＳＭＰＳで発生した電源ノイズが入力系統に流入しないように防止する補助機能のための構成であるので、インバータ用ＳＭＰＳの必須構成要素ではなくてもよい。
【００３８】
入力整流平滑回路２０は入力電源に対する整流および平滑機能を遂行する構成であって、入力用整流回路および入力用平滑回路を含むことができる。この時、入力用整流回路はノイズフィルター１０等を通過した交流電源を変換して整流化された電源Ｐ２を生成することができる。例えば、入力用整流回路はブリッジダイオード回路などを含むことができるが、これに限定されるものではない。また、入力用平滑回路は入力用整流回路を通過した脈流の整流電源Ｐ２を変換して平滑化された電源Ｐ３を生成することができる。すなわち、入力用平滑回路は高い電源を低くし低い電圧を高くして、ある程度一定の電圧が出力されるようにすることができる。例えば、入力用平滑回路はコンデンサまたはインダクタを含むことができるが、これに限定されるものではない。
【００３９】
コンバータ３０は平滑化された電源Ｐ３を望む大きさの電源Ｐ４に変換させる構成である。すなわち、コンバータ３０はスイッチング素子のオン／オフ（ｏｎ／ｏｆｆ）時間により最終出力の直流電源の大きさを調節することができる。例えば、スイッチング素子はＧＴＯ、ＢＪＴ、ＩＧＢＴ、ＭＯＳＦＥＴなどのトランジスターからなり得るが、これに限定されるものではない。
【００４０】
特に、コンバータ３０は電力の変換を担当する主な部分であって、入出力の変化比の大きさおよび回路構成により多様な種類のコンバータに分類され得る。例えば、コンバータ３０は高周波トランスの有無により、非絶縁型と絶縁型に大別され得る。この時、非絶縁型にはＢｕｃｋ方式、Ｂｏｏｓｔ方式、Ｂｕｃｋ−ｂｏｏｓｔ方式、Ｃ’ｕｋ方式などが含まれ得、絶縁型にはＦｌｙｂａｃｋ方式、Ｆｏｒｗａｒｄ方式、Ｆｕｌｌ−ｂｒｉｄｇｅ方式、Ｈａｌｆ−ｂｒｉｄｇｅ方式などが含まれ得るが、これに限定されるものではない。
【００４１】
制御回路４０はコンバータ３０を制御する構成である。すなわち、制御回路４０はスイッチング素子のオン／オフ（ｏｎ／ｏｆｆ）時間を制御することができる。例えば、制御方式としては普通、パルス幅変調（Ｐｕｌｓｅ  Ｗｉｄｅ  Ｍｏｄｕｌａｔｉｏｎ；ＰＷＭ）またはパルス周波数変調（Ｐｕｌｓｅ  Ｆｒｅｑｕｅｎｃｙ  Ｍｏｄｕｌａｔｉｏｎ；ＰＦＭ）方式などが使われ得るが、これに限定されるものではない。また、制御回路４０は最終に出力される直流電圧を安定化させるためのフィードバック制御回路であるかこれをさらに含むことができる。
【００４２】
出力整流平滑回路５０はコンバータ３０により変換された電源Ｐ４に対する整流および平滑機能を遂行して最終電源を生成する構成であって、出力用整流回路および出力用平滑回路を含むことができる。すなわち、出力用整流回路はコンバータ３０により変換された電源に対して追加的に整流機能を遂行することができる。例えば、出力用整流回路はダイオードなどを含むことができるが、これに限定されるものではない。また、出力用平滑回路は出力用整流回路を通過した電源を変換して平滑化された最終電源Ｐ５を生成することができる。すなわち、出力用平滑回路は高い電源を低くし低い電圧を高くしてある程度一定の電圧が出力されるようにすることができる。例えば、出力用平滑回路はコンデンサまたはインダクタを含むことができるが、これに限定されるものではない。
【００４３】
図２および図４は本発明の一実施例に係る強化絶縁トランスの正面写真および斜視面の写真を示し、図３は図２で絶縁層を除去した場合の写真を示す。
【００４４】
本発明の一実施例に係る強化絶縁トランスは、電磁誘導現象を利用して１次電源の大きさを低くした２次電源を出力させる。例えば、本発明の一実施例に係る強化絶縁トランスはＳＭＰＳ、特にインバータ用ＳＭＰＳに含まれる構成であって、入力整流平滑回路２０とコンバータ３０の間や、コンバータ３０と出力整流平滑回路５０の間に備えられ得る。
【００４５】
すなわち、本発明の一実施例に係る強化絶縁トランスは、平滑化された電源Ｐ３を１次電源として入力を受け、電磁誘導現象により１次電源の大きさを低くした２次電源を出力させてコンバータ３０に伝達することができる。また、本発明の一実施例に係る強化絶縁トランスは、コンバータ３０により変換された電源Ｐ４を１次電源として入力を受け、電磁誘導現象により１次電源の大きさを低くした２次電源を出力させて出力整流平滑回路５０に伝達することができる。ただし、本発明は前述したようにＳＭＰＳの電源の変換構成としてのみ使われるものとは限定されず、その他の多様な電子機器および装置の電源の変換構成としても使われ得る。
【００４６】
図５は図４を参照して図示された本発明の一実施例に係る強化絶縁トランスの構成を示し、図６はコア（ｃｏｒｅ）１００、１次巻線３１０、２次巻線３２０および絶縁層４００の一例を示す。また、図７は、図５の断面の一部を示す。すなわち、図７は、図５でＡとＡ’間の切断面をＢ方向から見た一部を示す。
【００４７】
図５〜図７を参照すると、本発明の一実施例に係る強化絶縁トランスは、コア（ｃｏｒｅ）１００、ボビン（ｂｏｂｂｉｎ）２００、巻線３００、絶縁層４００、ピン（ｐｉｎ）５００およびバリアー（ｂａｒｒｉｅｒ）６００を含むことができる。
【００４８】
コア１００は磁性体からなる構成であって、巻線３００が巻き取られる時にその中心となり得る。すなわち、コア１００は１次側から２次側へのエネルギーの伝達を向上させるための構成であり得る。
【００４９】
ボビン２００はコア１００、巻線３００、絶縁層４００およびピン５００等のような本発明の残りの構成を支持したりハウジング（ｈｕｓｉｎｇ）する構成である。この時、ボビン２００はピン部位２１０、中心部位２２０およびトップ（ｔｏｐ）部位２３０をそれぞれ有することができる。すなわち、ピン部位２１０はピン５００を支持する部分である。中心部位２２０はコア１００、巻線３００、絶縁層４００およびバリアー６００等を支持する部分であって、これらの構成が載置される中空部の部分に該当する。また、トップ部位２３０は中心部位２２０を基準としてピン部位２１０の反対側に備えられる部分である。
【００５０】
巻線３００は巻き取られて電磁誘導現象が発生する構成である。この時、巻線３００は一次電源が伝達される１次巻線３１０と、２次電源が伝達される２次巻線３２０を含むことができる。すなわち、一次電源は２００Ｖ、４００Ｖなどのような高電圧電源であり得る。また、２次電源は１２Ｖなどのような低電圧電源であって、ユーザーが直接接触可能な電源であり得る。
【００５１】
１次巻線３１０および２次巻線３２０による電源の変換原理は次の通りである。すなわち、１次巻線３１０に交流電源が印加されると該当電源の電流によって磁束が発生する。この時、２次巻線３２０には発生したその磁束の変化を妨害しようとする方向に起電力が誘起され得る。
【００５２】
１次巻線３１０および２次巻線３２０は導電物質からなる導線３１０ａ、３２０ａと、その導線３１０ａ、３２０ａを包み込む被覆部分である。すなわち、１次巻線３１０および２次巻線３２０はエナメル（ｅｎａｍｅｌ）等の絶縁物質からなる絶縁表皮層３１０ｂ、３２０ｂをそれぞれ含むことができる。
【００５３】
図６を参照すると、１次巻線３１０および２次巻線３２０は互いに積層された構造を有するものの、その間が離隔（以下、このような離隔距離を「上下離隔距離」という。）され、その間に絶縁層４００が備えられ得る。すなわち、コア１００上に１次巻線３１０が巻き取られた後、その１次巻線３１０上に絶縁層４００が覆われる。その後、絶縁層４００上に２次巻線３２０がさらに巻き取られ、その２次巻線３２０上に絶縁層４００がさらに覆われ得る。ただし、前述とは異なり、１次巻線３１０および２次巻線３２０の上下離隔距離の空間に設けられる絶縁層４００は省略されてもよい。
【００５４】
一方、図６および図７では１次巻線３１０および２次巻線３２０が一つずつ備えられるものとして図示したが、本発明はこれに限定されるものではない。すなわち、１次巻線３１０および２次巻線３２０は複数個がさらに積層され得る。特に、複数個の１次巻線３１０の間または複数個の２次巻線３２０の間が互いに連結されてもよく、この場合、該当１次巻線３１０または２次巻線３２０の巻き数を増やす効果が発生し得る。
【００５５】
１次巻線３１０および２次巻線３２０が積層されることによって、１次巻線３１０および２次巻線３２０では電磁誘導現象が発生する。その結果、１次巻線３１０に伝達された高電圧の一次電源がその電磁誘導現象によって低電圧の２次電源として２次巻線３２０に誘導され得る。この時、２次巻線３２０に誘導された２次電源の大きさは１次電源の大きさ、各巻線３１０、３２０の巻き数、各巻線３１０、３２０間の離隔距離などに影響を受け得る。
【００５６】
特に、１次巻線３１０および２次巻線３２０はそれぞれ２個の端部を有するが、１次巻線３１０および２次巻線３２０の各端部はピン５００に連結され得る。この時、ピン５００は各巻線３１０、３２０に連結されて電源の入／出力を伝達する構成であって、他の端子、素子または装置に連結され得る。
【００５７】
１次巻線３１０および２次巻線３２０のうち特定部位はボビン２００の外部に露出され得るが、この特定部位を「引き出し部３１１、３２１」と指し示す。すなわち、引き出し部３１１、３２１は巻線３１０、３２０の中でピン５００に隣接した部位であって、巻線３１０、３２０の中でその端部およびその巻き取り部位の間の部位に該当し得、ボビン２００のピン部位２１０上に露出され得る。
【００５８】
一方、１次巻線３１０および２次巻線３２０の巻き取り部位と、これらを覆う絶縁層４００はボビン２００の中心部位２２０に位置することができる。この時、１次巻線３１０および２次巻線３２０はバリアー６００の間空間内で巻き取られ得る。
【００５９】
バリアー６００は各巻線３１０、３２０の巻き取り部位の両側に形成される壁であって、１次巻線３１０と２次巻線３２０の間の離隔距離（すなわち、絶縁距離）を確保してくれる。すなわち、１次巻線３１０はその層の両側に備えられたバリアー６００（以下、「第１バリアー」という。）の間空間内に巻き取り部位を有し、２次巻線３２０はその層の両側に備えられたバリアー６００（以下、「第２バリアー」という。）の間空間内に巻き取り部位を有する。これに伴い、１次巻線３１０の巻き取り部位の端部と２次巻線３２０の巻き取り部位の端部は、第１バリアーおよび第２バリアーが占める空間だけ互いに離隔する効果を有する。特に、バリアー６００は各巻線３１０、３２０の巻き取り部位の領域より高さが高い。すなわち、１次巻線３１０または２次巻線３２０の巻き取り部位の両側に設けられた２個のバリアー６００は、それより低い高さであるその間空間（以下、「巻き取り空間」という。）でのみ各巻線３１０、３２０が巻き取られるようにする。これに伴い、バリアー６００が占める空間（図７で「６００」符号の矢印の長さ）（以下、「バリアー距離」という。）が大きいほど各巻線３１０、３２０に対する巻き取り空間は狭くなる。ただし、各バリアー６００で、そのバリアーの長さは互いに同じでなくてもよい。
【００６０】
以下、絶縁階級のうち、強化絶縁（ｒｅｉｎｆｏｒｃｅｄ  ｉｎｓｕｌａｔｉｏｎ）を満足するための本発明に係る設計方法について説明する。
【００６１】
各電源（または各巻線）は互いに絶縁されるが、この時、各電源の間（例えば、一次電源の間、２次電源の間、または一次電源と２次電源の間）は、各電源の使用位置（内部用または外部用）により安全のための絶縁基準、すなわち「絶縁階級」が決定される。
【００６２】
この時、内部用および外部用は該当電源の使用位置であって、ユーザーとの直接接触の有無と関連がある。すなわち、内部用電源はユーザーと直接接触しない一次電源または２次電源であって、該当機器または装置の内部でのみ使われる電源を意味する。その反対に、外部用はユーザーと直接接触可能な２次電源であって、該当機器または装置の外部に露出され得る電源を意味する。
【００６３】
【表１】
2020145402.tif 000003
【００６４】
表１を参照すると、絶縁階級は機能絶縁（ｆｕｎｃｔｉｏｎａｌ  ｉｎｓｕｌａｔｉｏｎ）、基本絶縁（ｂａｓｉｃ  ｉｎｓｕｌａｔｉｏｎ）および強化絶縁（ｒｅｉｎｆｏｒｃｅｄ  ｉｎｓｕｌａｔｉｏｎ）の三つに区分され得、強化絶縁はこれらのうち最も高い絶縁基準と言える。すなわち、機能絶縁から強化絶縁に行くほどその絶縁基準の程度がさらに高くなると見ることができる。
【００６５】
機能絶縁は一次電源の間や、内部用２次電源の間や、外部用２次電源の間についての基準である。例えば、インバータ用であって、一次電源が２００Ｖである場合、機能絶縁を満足するためには、該当電源の間が少なくとも１．５mm以上離隔しなければならない。また、インバータ用であって、一次電源が４００Ｖである場合、機能絶縁を満足するためには、該当電源の間が少なくとも３mm以上離隔しなければならない。
【００６６】
基本絶縁は一次電源と内部用２次電源の間についての基準である。例えば、インバータ用であって、一次電源が２００Ｖである場合、基本絶縁を満足するためには、該当電源の間が少なくとも３mm以上離隔しなければならない。また、インバータ用であって、一次電源が４００Ｖである場合、基本絶縁を満足するためには、該当電源の間が少なくとも５．５mm以上離隔しなければならない。
【００６７】
強化絶縁は一次電源と外部用２次電源の間や、内部用２次電源と外部用２次電源の間についての基準である。例えば、インバータ用であって、一次電源が２００Ｖである場合、強化絶縁を満足するためには、該当電源の間が少なくとも５．５mm以上離隔しなければならない。また、インバータ用であって、一次電源が４００Ｖである場合、強化絶縁を満足するためには、該当電源の間が少なくとも８mm以上離隔しなければならない。
【００６８】
本発明は強化絶縁を満足するトランスの設計方法を提案する。すなわち、本発明の一実施例に係るトランスは、一次電源と２次電源の間または２次電源の間（すなわち、１次巻線３１０が２次巻線３２０の間または２次巻線３２０の間）についての絶縁階級が強化絶縁の基準を満足できるトランスを提供する。
【００６９】
一方、トランスで、１次巻線３１０と２次巻線３２０はその離隔距離が該当絶縁基準で提示する最小離隔距離を満足しなければならない。このために、１次巻線３１０と２次巻線３２０の積層部分での上下離隔距離は該当最小離隔距離を満足するように設計される。また、１次巻線３１０と２次巻線３２０のバリアー合計距離も該当最小離隔距離基準を満足するように設計される。
【００７０】
この時、バリアー合計距離は、１次巻線３１０の巻き取り部位の一側に設けられた第１バリアーのバリアー距離と、該当１次巻線３１０のとなりの２次巻線３２０の巻き取り部位の一側に設けられた第２バリアーのバリアー距離間の合計を意味する。すなわち、バリアー合計距離は下側に位置した第１バリアーとその上側に位置した第２バリアー間のバリアー距離の和である。
【００７１】
しかし、従来トランスでは強化絶縁基準を満足させるために前述した離隔距離を増やさなければならないので、トランスの大きさが大きくならざるを得ない問題点が発生する。
【００７２】
一方、最小離隔距離についての基準を満足しなくても、該当電源を伝達する電源線（第１巻線または第２巻線）が耐電圧についての基準を満足する場合にも該当絶縁階級が割り当てられ得る。この時、耐電圧は巻線の絶縁表皮層の重なりの程度や絶縁表皮層の厚さに影響を受ける。すなわち、絶縁表皮層が複数の層からなるものの、その重なり数が増えるほどまたは絶縁表皮層の厚さが厚くなるほど、耐電圧が増加しつつその絶縁階級も高くなり得る。
【００７３】
ただし、この場合にもトランスの体積が最小化されなければならないので、１次巻線３１０よりは２次巻線３２０の絶縁表皮層３２０ｂが前述した条件を満足するのがより望ましい。これは２次巻線３２０が１次巻線３１０よりもその巻き数が少ないので、前述した条件を採用してもそれにともなう体積の増加が小さくなり得るためである。これに伴い、本発明は第２巻線３２０の絶縁表皮層３２０ｂを１次巻線３１０の絶縁表皮層３１０ａよりも重なり数が多いか厚さが厚いように設計することによって、耐電圧の増加による絶縁階級の向上を提案（以下、「第１提案」という。）する。
【００７４】
第１提案により、２次巻線３２０が一定以上の絶縁階級の耐電圧を満足する電源線で設計される場合、該当絶縁階級に対する最小離隔距離を満足しなくても良い。その結果、１次巻線３１０および２次巻線３２０に対する各バリアー合計距離は従来より減少され得る。
【００７５】
図８は従来のトランスにおいて引き出し部３１１、３２１がピン５００に連結された様子を示し、図９は本発明の一実施例に係る強化絶縁トランスにおいて引き出し部３１１、３２１がピン５００に連結された様子を示す。
【００７６】
一方、引き出し部３１１、３２１は１次巻線３１０および２次巻線３２０のうち外部に露出する部分である。この時、引き出し部３１１、３２１の周辺を追加的な絶縁チューブ７００で包み込むと、該当領域の耐電圧やその最小離隔距離を増加させることができ、その結果、その絶縁階級が高くなり得る。これに伴い、本発明は追加的な絶縁チューブ７００で引き出し部３１１、３２１を包み込むように設計することによって、その絶縁階級を向上させることを追加に提案（以下、「第２提案」という。）する。
【００７７】
この時、絶縁チューブ７００は絶縁物質からなるチューブである。例えば、絶縁チューブ７００は加熱によって引き出し部３１１、３２１の周辺に容易にくっつくテフロン（Ｔｅｆｌｏｎ）チューブであり得が、これに限定されるものではない。
【００７８】
図８を参照すると、従来のトランスは引き出し部３１１、３２１を別途の絶縁チューブ７００で包み込んでいない。ただし、従来のトランスで、１次巻線３１０の引き出し部３１１は絶縁チューブ７００で包み込まれる場合もあり得るが、２次巻線３２０の引き出し部３２１については該当加工が行われていない。
【００７９】
一方、トランスで、基本絶縁を満足する場合が２回以上発生すると（以下、「追加強化絶縁条件」という。）、絶縁階級の規格により、該当電源の間は強化絶縁を満足するものと認められ得る。すなわち、追加強化絶縁条件のために、第１提案および第２提案のそれぞれが基本絶縁基準に満足する場合、該当トランスの電源は強化絶縁を満足できることになる。
【００８０】
これに伴い、第１提案により２次巻線３２０が基本絶縁以上の耐電圧を満足する電源線で設計され、第２提案により１次巻線３１０の引き出し部３１１の他に２次巻線３２０の引き出し部３２１までも絶縁チューブ７００で包み込まれて基本絶縁以上に設計される場合、該当トランスは２回以上基本絶縁基準を満足することになる。その結果、該当トランスに対する強化絶縁の具現が可能となる。この場合、該当トランスで、１次巻線３１０および２次巻線３２０に対する各バリアー合計距離は、強化絶縁のための最小離隔距離よりも減少され得るようになる。
【００８１】
すなわち、このような二重の基本絶縁基準の満足を通じての強化絶縁を具現することによって、本発明は従来強化絶縁の具現時に増加していた一次電源と２次電源の間の絶縁距離（すなわち、バリアー合計距離）を減少させることができるので、バリアー６００の大きさも減少させることができる。その結果、本発明は１次巻線３１０および２次巻線３２０の巻き取り部位、すなわち巻線窓面積を増やすことができる。
【００８２】
１次巻線３１０および２次巻線３２０の各バリアー合計距離は、基本絶縁基準の最小離隔距離（例えば、一次電源が２００Ｖである場合に３mm、一次電源が４００Ｖである場合に５．５mm）さえ満足すれば良い。これに伴い、各バリアー合計距離は強化絶縁基準の最小離隔距離（例えば、一次電源が２００Ｖである場合に５．５mm、一次電源が４００Ｖである場合に８mm）よりも減少され得る。その結果、本発明は従来に発生していた体積の増加、すなわち強化絶縁のバリアー合計距離を満足するための体積の増加を最小化することができる
【００８３】
ただし、第１提案と関連して、トランスの設計時に特定の絶縁階級の満足のために、電源線の耐電圧の変更のための直接設計および製作することは、製造費用の上昇などが発生し得るため、製造条件上困難であり得る。一方、各絶縁階級に対する耐電圧は電源線自らの仕様で提供され得る。これに伴い、本発明は既設計および製作されて提供される市販される多様な電源線のうち、基本絶縁の耐電圧を満足する特定の種類の電源線を第２巻線３２０として使用するように提案する。
【００８４】
すなわち、このような特定の種類の電源線はその絶縁表皮層の重なり数が複数個からなることによって基本絶縁基準の耐電圧を満足することができる。特に、特定の種類の電源線は、図７に図示された通り、その絶縁表皮層が３重層であるのが望ましい。これはその絶縁表皮層の重なり数が３より少ない場合に基本絶縁基準の耐電圧を満足できないこともあり、それより多い場合に２次巻線３２０が過度に厚くなって２次巻線３２０の巻き取り部位が占める大きさが大きくなり得るためである。
【００８５】
図１０は、本発明の一実施例に係る強化絶縁トランスの設計方法のフローチャートである。
【００８６】
前述した内容を整理すると、本発明の一実施例に係る強化絶縁トランスの設計方法は、図１０に図示された通り、１次巻線形成段階Ｓ１００、２次巻線形成段階Ｓ２００および引き出し部加工段階Ｓ３００を含むことができる。
【００８７】
Ｓ１００で、１次巻線３１０が巻き取り形成される。この時、１次巻線３１０はコア１００周辺に巻き取られ得るが、これに限定されるものではない。
【００８８】
Ｓ２００で、１次巻線３１０上に上下離隔距離をおいて２次巻線３２０が巻き取り形成される。この時、１次巻線３１０と２次巻線３２０の上下離隔距離領域に絶縁層４００が形成され得るが、これに限定されるものではない。特に、Ｓ２００で、１次巻線３１０および２次巻線３２０は第１提案および追加強化絶縁条件などの内容を満足することができる。
【００８９】
Ｓ３００で、１次巻線３１０および２次巻線３２０を１次巻線３１０および２次巻線の引き出し部３１１、３２１のそれぞれに対して絶縁チューブ７００で包み込む。すなわち、Ｓ３００で、１次巻線３１０および２次巻線３２０は第２提案および追加強化絶縁条件などの内容を満足することができる。
【００９０】
ただし、Ｓ１００〜Ｓ３００で、トランスの各構成、特に１次巻線３１０および２次巻線３２０は図１〜図９により前述した内容を含むことができる。
【００９１】
本発明の詳細な説明では具体的な実施例について説明したが、本発明の範囲から逸脱しない範囲内で多様に変形できることは言うまでもない。したがって、本発明の範囲は説明された実施例に限定されず、後述される特許請求の範囲およびこの特許請求の範囲と均等なものなどによって定められるべきである。
【符号の説明】
【００９２】
１０：ノイズフィルター
２０：入力整流平滑回路
３０：コンバータ
４０：制御回路
５０：出力整流平滑回路
１００：コア
２００：ボビン
２１０：ピン部位
２２０：中心部位
２３０：トップ部位
３００：巻線
３１０：１次巻線
３１０ａ、３２０ａ：導線
３１０ｂ、３２０ｂ：絶縁表皮層
３１１、３２１：引き出し部
３２０：２次巻線
４００：絶縁層
５００：ピン
６００：バリアー
７００：絶縁チューブ
【図１】
2020145402.tif 000004
【図２】
2020145402.tif 000005
【図３】
2020145402.tif 000006
【図４】
2020145402.tif 000007
【図５】
2020145402.tif 000008
【図６】
2020145402.tif 000009
【図７】
2020145402.tif 000010
【図８】
2020145402.tif 000011
【図９】
2020145402.tif 000012
【図１０】
2020145402.tif 000013